(57)【要約】【課題】  患者がベッド（車いす）から起き上がったか、離れたか等、患者の動きを検知すると共に、外部からの侵入者に対して安全・安心を確認する患者検知システムを提供する。【解決手段】  赤外線カメラ装置を使用し、コンピューターにて画像処理し、ナースコール後、映像モニターへ送信する患者検知システムであって、画像処理として、一定のラインエリアの患者の動きを検知すべく、下側ライン、上側ライン、内側ライン、外側ラインを設定してなることを特徴とする患者検知システム。【選択図】図１
2008092538.tif 000002
【特許請求の範囲】
【請求項１】
赤外線カメラ装置を使用し、コンピューターにて画像処理し、ナースコール後、映像モニターへ送信する患者検知システムであって、画像処理として、一定のラインエリアの患者の動きを検知すべく、下側ライン、上側ライン、内側ライン、外側ラインを設定してなることを特徴とする患者検知システム。
【請求項２】
患者のすぐ上方に下側ラインを設定し、その適宜上方へ上側ラインを設定してなることを特徴とする請求項１記載の患者検知システム。
【請求項３】
患者の側方で、ベッドの幅位置に内側ラインを設定し、その適宜外側に外側ラインを設定してなることを特徴とする請求項１又は２記載の患者検知システム。
【請求項４】
下側ラインを通過し、上側ラインを通過した場合、患者が起き上がったと判断することを特徴とする請求項１、２又は３記載の患者検知システム。
【請求項５】
内側ラインを通過し、外側ラインを通過した場合、患者の手や足が出た等と判断することを特徴とする請求項１、２、３又は４記載の患者検知システム。
【請求項６】
外側ラインを通過し、内側ラインを通過した場合、外部からの人間のチェックを行うことができることを特徴とする請求項１、２、３、４又は５記載の患者検知システム。
【発明の詳細な説明】
【技術分野】
【０００１】  本発明は、主にベッドの患者が起き上がったか離れたか、また、車いすから立ち上がったか離れたか等、患者の動きを検知すると共に、外部からの人間に対しての安全・安心を確保する患者検知システムに関するものである。
【背景技術】
【０００２】  従来の技術として、生体検出装置（特許出願番号２００２−２４５９４４）を用いて入院患者あるいは乳幼児あるいは被介護者の離床を報知するシステムであり、当該システムは当該生体検出装置から検出された離床信号を送信する送信機を備え、離床信号が発生したときに、生体検出装置と離れた場所に設置された報知機に対象者が離床したことが報知されることを特徴とした離床報知システムがある。（特許文献１参照）【０００３】  また、別の従来技術として、ベッドと、該ベッドに敷かれる圧電シートと、該圧電シートの微弱電圧を増幅して出力する出力回路とからなり、該出力回路からの微弱電圧の有無により、前記ベッドの前記圧電シート上の患者の存在を確認することを特徴とする患者確認装置がある。（特許文献２参照）
【特許文献１】  特開２００５−１８５４９３号公報
【特許文献２】  特開２００５−１６５４５５号公報
【発明の開示】
【発明が解決しようとする課題】
【０００４】  上記前者においては、単に離床したことを知らせるものであり、患者の方の上下の動きを感知（例えば、寝れなくて起床する等）する等、こまかな状況を検知（把握）できない。
また、外部からの侵入者等もチェックできる機能がない。【０００５】  上記後者においても、患者の存在の有無を検知するもので、起き上がったか。、離床したか、外部からの侵入者の有無等のこまかな状況を検知することができないものである。【０００６】  本発明は、上記のような従来の構成が有していた問題点を解決しようとするもので、患者がベッド（車いす）から起き上がったか、離れたか等、患者の動きを検知すると共に、外部からの侵入者に対して安全・安心を確認する患者検知システムを提供することを目的とするものである。
【課題を解決するための手段】
【０００７】  本発明は、上記目的を達成する手段として、赤外線カメラ装置を使用し、コンピューターにて画像処理し、ナースコール後、映像モニターへ送信する患者検知システムであって、画像処理として、一定のラインエリアの患者の動きを検知すべく、下側ライン、上側ライン、内側ライン、外側ラインを設定してなる。
患者のすぐ上方に下側ラインを設定し、その適宜上方へ上側ラインを設定してなる。
患者の側方で、ベッドの幅位置に内側ラインを設定し、その適宜外側に外側ラインを設定してなる。
下側ラインを通過し、上側ラインを通過した場合、患者が起き上がったと判断する。
内側ラインを通過し、外側ラインを通過した場合、患者の手や足が出た（離床等）と判断する。
外側ラインを通過し、内側ラインを通過した場合、外部からの人間のチェックを行うことができることを特徴とする請求項１、２、３、４又は５記載の患者検知システム。
【発明の効果】
【０００８】１）、画像処理として、一定のラインエリアの患者の動きを検知すべく、下側ライン及び上側ラインを設定することにより、下側ラインを通過し、上側ラインを通過した場合、映像モニターにて患者が起き上がったことを看護師の方が確認でき、寝れない様子であれば部屋（病室）へ出向き処置することができるため、ケースバイケースにより処理でき、看護師の仕事（作業）を軽減できる。
２）、内側ライン及び外側ラインを設定することにより、内側ラインを通過し、外側ラインを通過した場合、映像モニターにて患者の手や足が出た（例えばベッドから落下することもある）と判断されるとき、特に徘徊癖のある方は、早々にベッドに戻すことができる。
３）、外側ライン（上側ライン）を通過し、内側ライン（下側ライン）を通過した場合、外部から誰かが侵入し、患者に近づいているものと判断し、映像モニターで内容（不審者等）をチェックし、緊急時においては各担当者に連絡し駆けつけるものである。
４）、一定期間映像を保存でき、トラブル発生の証拠として使用できると共に、患者の色々な状況をリアルタイムに映像にて確認できる。
【発明の実施するための最良の形態】
【０００９】  患者検知システム１は、適度な高さ（調整可能）の基台２の上部に、赤外線カメラ３ａを設け、画像を処理するコンピュータ３ｂと、処理された画像を送信する送信機３ｃ（ナースコールも行う）からなる赤外線カメラ装置３と、病院のナースセンター内に設ける映像モニター４ａ及び／またはポケット内に入る移動映像モニター４ｂとから構成される。
【００１０】  この患者検知システム１は、ベッドＢの患者Ｋの頭側に赤外線カメラ装置３をセットする。
この状態で赤外線カメラ３ａを作動させ、コンピュータ３ｂにて画像処理し、ナースコール後、映像モニター４ａ（４ｂ）へ送信するものである。
画像処理方法は、ソフトにて一定のラインエリアＡＲとして患者Ｋのすぐ上方に下側ラインＳＲを設定し、その適宜上方へ上側ラインＵＲを設定してある。
また、患者Ｋの側方で、ベッドＢの幅位置に内側ラインＵＴＲを設定し、その適宜外側に外側ラインＳＴＲを設定してある。
【００１１】  この状態で、患者Ｋが下側ラインＳＲを通過し、上側ラインＵＲを通過した場合、映像モニター４ａ（４ｂ）にて患者Ｋが起き上がったことを看護師が確認して状況判断し、病室へかけつけるか、そのまま様子を見るかを決めることができる。
【００１２】  また、内側ラインＵＴＲを通過し、外側ラインＳＴＲを通過した場合、映像モニター４ａ（４ｂ）にて患者Ｋの手や足が出た（離床やベッドＢから落下することもある）と判断することができる。
【００１３】  さらに、外側ラインＳＴＲ（上側ラインＵＲ）を通過し、内側ラインＵＴＲ（下側ラインＳＲ）を通過した場合、外部から誰かが侵入し患者Ｋに近づいたと判断し、対処できるものである。
【００１４】  なお、ベッドＢの周囲に赤外線カメラ装置３を取り付けるのみでなく、車いすＫＩのハンドルＨに取り付けて使用することも一考で、患者Ｋ１の周囲に同様なラインエリアＡＲ１を設定してなるものである。
【００１５】  上記各実施例において、ラインエリアの寸法等は、必要に応じて決めればよく、映像は一定時間が過ぎれば自動的に切れると共に、モニターされた映像は一定期間保存することができる。
また、移動映像モニターへの画像の送信距離等も、自由に設定すればよい。
【図面の簡単な説明】
【００１６】
【図１】  本発明の第１実施例を示す患者検知システムの構成図。
【図２】  本発明の第１実施例を示す患者検知システムの使用状態の平面図。
【図３】  本発明の第１実施例を示す患者検知システムの使用状態の正面図。
【図４】  本発明の第１実施例を示す患者検知システムの映像モニターの表示図。
【図５】  本発明の第１実施例を示す患者検知システムの患者の上下方向の状況を表す流れ図。
【図６】  本発明の第１実施例を示す患者検知システムの患者の左右方向の状況を表す流れ図。
【図７】  本発明の第１実施例を示す患者検知システムの患者の上下左右方向を組み合わせた状況を表す流れ図。
【図８】  本発明の第２実施例を示す患者検知システムの構成図。
【符号の説明】
【００１６】  １−−−患者検知システム
２−−−基台
３−−−カメラ装置
３ａ−−赤外線カメラ
３ｂ−−コンピュータ
３ｃ−−送信機
４ａ−−映像モニター
４ｂ−−移動映像モニター
Ｂ−−−ベッド
Ｋ−−−患者
ＡＲ−−ラインエリア
ＳＲ−−下側ライン
ＵＲ−−上側ライン
ＵＴＲ−内側ライン
ＳＴＲ−外側ライン
ＫＩ−−車いす
Ｈ−−−ハンドル
【図１】
2008092538.tif 000003
【図２】
2008092538.tif 000004
【図３】
2008092538.tif 000005
【図４】
2008092538.tif 000006
【図５】
2008092538.tif 000007
【図６】
2008092538.tif 000008
【図７】
2008092538.tif 000009
【図８】
2008092538.tif 000010